(57)【特許請求の範囲】
【請求項１】
術野に対面する対物レンズと、術野を観察する接眼部と、前記対物レンズから前記接眼部に通じる観察光路を有する観察光学系と、前記対物レンズあるいは他の対物レンズを通じて前記術野の補助観察を行うとともに前記観察光路とは独立した補助光路を有する補助観察光学系を備えた手術用顕微鏡において、
前記補助観察光学系の前記補助光路は、前記観察光学系の前記観察光路の一部において互いに交わることなく交差するように設置され、
前記補助観察光学系の前記補助光路と前記観察光学系の前記観察光路が交差する位置に、回転することで前記補助光路と前記観察光路に対して選択的に変倍レンズを配置する変倍用回転ドラムを有する変倍光学系を具備したことを特徴とする手術用顕微鏡。
【請求項２】
前記補助観察光学系の前記補助光路は、前記観察光学系の前記観察光路の一部において互いに交わることなく直交する位置に交差して設置されることを特徴とする、請求項1記載の手術用顕微鏡。
【請求項３】
前記変倍光学系の前記変倍用回転ドラムは、その回転軸に直交する断面が略四角形で、回転軸方向に長い長方体形状からなり、回転軸の周囲に配置した４つの長方形の各面に3つの孔を貫通して形成し、４つの長方形の面のうち互いに対向する２つの長方形の面に形成した3つの孔の左右両端の孔に前記観察光学系の前記観察光路用の変倍レンズを設け、４つの長方形の面のうち互いに対向する他の２つの長方形の面に形成した3つの孔の中央の孔に前記補助観察光学系の前記補助光路用の変倍レンズを設けたことを特徴とする、請求項２記載の手術用顕微鏡。
【発明の詳細な説明】
【０００１】
【産業上の利用分野】
本発明は、ＴＶ撮影や助手が観察を行うための補助光学系を備えた手術用顕微鏡に関する。
【０００２】
【従来の技術】
近年、手術用顕微鏡下で行われる外科手術であるマイクロサージャリや耳鼻科での診察に使われる手術用顕微鏡には、教育・記録用のためのＴＶカメラ、３５mmスチールカメラ、助手用補助観察光学系（顕微鏡）を取り付けることが必須の条件となってきている。また、術者が顕微鏡を覗く位置、つまり、アイポイント（Ｅ．Ｐ）が術部より遠くなると、術者の手は、伸びた状態で手術の作業を行うことになるため、細かい作業を行う術者にとっては、大変やりづらい作業となってしまう。一方、術部から顕微鏡前面（下面）までの距離は、術者の作業空間としてある一定の距離を取らなければならないという制限がある。したがって、アイポイントを下げるためには、顕微鏡の観察軸方向の大きさを小さくしなければならない。
【０００３】
このアイポイントを下げるため、特開昭62−35312 号公報のものでは、その光軸を途中で屈曲して変向する手段を採用している。すなわち、この構成は、顕微鏡の対物レンズを通った光軸（光路）を直交方向に屈曲させ、その後、クイックターンミラー、または光束分配器で光軸を観察光学系と写真撮影光学系のものに分けるようになっている。このため、対物レンズを通った直後の光軸上に光束分配器を配置するよりも、一応、アイポイントの位置が下げられるというものである。
【０００４】
【発明が解決しようとする課題】
前述した従来の手術用実体顕微鏡では、光軸をクイックターンミラーにより、観察光学系と写真撮影光学系に択一的に切り換えるため、常時、観察の必要な教育・主術者の補助を目的としたＴＶカメラや助手用顕微鏡を取り付けて、常時の補助観察を行うことができない。
【０００５】
また、クイックターンミラーの代わりに光束分配器を設置することは、観察光学系の明るさを減少させることになり、細かい作業を行う術者にとっては、非常に観察がしづらくなり、手術の効率を低下させることになる。
【０００６】
本発明は前述した課題に着目してなされたものであり、その目的とするところは、補助光路を備えた顕微鏡の観察系の明るさを損なわず、アイポイントの低い手術用顕微鏡を提供することにある。
【０００７】
【課題を解決するための手段】
前記課題を解決するために本発明の手術用顕微鏡は、術野に対面する対物レンズと、術野を観察する接眼部と、前記対物レンズから前記接眼部に通じる観察光路を有する観察光学系と、前記対物レンズあるいは他の対物レンズを通じて前記術野の補助観察を行うとともに前記観察光路とは独立した補助光路を有する補助観察光学系を備えた手術用顕微鏡において、前記補助観察光学系の前記補助光路は、前記観察光学系の前記観察光路の一部において互いに交わることなく交差するように設置され、前記補助観察光学系の前記補助光路と前記観察光学系の前記観察光路が交差する位置に、回転することで前記補助光路と前記観察光路に対して選択的に変倍レンズを配置する変倍用回転ドラムを有する変倍光学系を具備したことを特徴とする手術用顕微鏡である。
請求項２の発明は、前記補助観察光学系の前記補助光路は、前記観察光学系の前記観察光路の一部において互いに交わることなく直交する位置に交差して設置されることを特徴とする、請求項1記載の手術用顕微鏡である。
請求項３の発明は、前記変倍光学系の前記変倍用回転ドラムは、その回転軸に直交する断面が略四角形で、回転軸方向に長い長方体形状からなり、回転軸の周囲に配置した４つの長方形の各面に3つの孔を貫通して形成し、４つの長方形の面のうち互いに対向する２つの長方形の面に形成した3つの孔の左右両端の孔に前記観察光学系の前記観察光路用の変倍レンズを設け、４つの長方形の面のうち互いに対向する他の２つの長方形の面に形成した3つの孔の中央の孔に前記補助観察光学系の前記補助光路用の変倍レンズを設けたことを特徴とする、請求項２記載の手術用顕微鏡である。
【０００８】
【実施例】
（第１の実施例）
図１〜図４に従って、本発明の第１の実施例における手術用顕微鏡装置を説明する。図１に示すように、架台１は、床面上を移動自在であるベース１ａと、ベース１ａに対して垂直な状態で立設された支柱１ｂとから構成されている。支柱１ｂの上端部には、第１のアーム２の一端たる基端が、垂直な軸０ａを中心として水平に回動自在に取り付けられている。第１のアーム２の内部には、図示しない照明用光源が内蔵されている。第１のアーム２の他端たる先端には、第２のアーム３の基端が、垂直な軸０ｂを中心として水平に回動自在に取り付けられている。第２のアーム３は、リンク機構とバランス調整用のガススプリング等からなるパンタグラフ式アームで構成されており、その先端側を自由に上下移動させることができるとともに、その任意の位置で定置することができるようになっている。
【０００９】
第２のアーム３の先端には、垂直な軸０ｃを中心として水平な向きに回転自在に鏡体俯仰用アーム４の一端が取り付けられており、このアーム４の他端には、水平な軸０ｄを中心として上下の向きに回転自在に鏡体５が取り付けられている。このため、鏡体５についての、軸０ｃを中心として術者に対して左右方向の回動と、軸０ｄを中心としての上下方向の俯仰を可能にする。また、前述した第１のアーム２および第２のアーム３を回動または上下することにより、その所定の作業空間領域内において、鏡体５の位置を任意に選択することが可能である。このように鏡体５を移動させる操作を行うためのグリップ６が、その鏡体５の先端たる側面に突出して設けられている。
【００１０】
図２および図３を参照して、前記鏡体５における構成を説明する。鏡体５には、以下のように光学系の部材が組み込まれている。まず、鏡体５の上面の手元側部分には、術野を実体観察するための左右一対の接眼部として、接眼部鏡筒７ａ，７ｂが取り付けられている。この接眼部鏡筒７ａ，７ｂとは反対側に位置した鏡体５の前（下）面側部分には、対物レンズ１０が設けられている。この対物レンズ１０は、後述する実体観察光学系の左右の観察光路８ａ，８ｂと補助観察を行うための補助観察光学系としてのＴＶカメラ撮像光路９に対して共通な対物レンズとなる。そして、この接眼部鏡筒７ａ，７ｂと対物レンズ１０を結ぶ方向を鏡体５の主軸の向きとしている。
【００１１】
この対物レンズ１０の光軸方向手前側には、その光軸方向に直交する軸０ｅを中心に回動自在に支持された変倍用回転ドラム（切換え操作用部材）１１が配置されている。さらに、回転ドラム１１と接眼部鏡筒７ａ，７ｂの間には、その左右の接眼部鏡筒７ａ，７ｂに対してそれぞれ対応する左右の観察光路８ａ，８ｂの観察系結像レンズ１２ａ，１２ｂが配設されている。つまり、対物レンズ１０、回転ドラム１１、観察系結像レンズ１２ａ，１２ｂ、接眼部鏡筒７ａ，７ｂがその順に鏡体５の主軸方向に並んで極力コンパクトに配置されている。
【００１２】
図３で示すように、前記回転ドラム１１は、その軸０ｅの方向から見た形が正方形で、かつ、その軸０ｅの方向に長い直方体からなり、軸０ｅに直交する向きで上下と水平方向にそれぞれ３つづつの孔１３が貫通する状態で等間隔で並んで形成されている。
【００１３】
そして、上下に貫通する３つの孔１３のうち左右両端に位置する一方のものには、凹レンズと凸レンズからなる上下一対の観察系変倍レンズ１４ａ，１５ａが配設され、他方端のものにも、同様の上下一対の観察系変倍レンズ１４ｂ，１５ｂが配設されている。観察系変倍レンズ１４ａ，１５ａの組と観察系変倍レンズ１４ｂ，１５ｂの組は、対応する観察光路８ａ，８ｂに設置することにより、その観察系の倍率を同じように変えるようになっている。上下に貫通する３つの孔１３のうち中央に位置するものは空のままになっている。
【００１４】
一方、水平に貫通する３つの孔１３のうち中央に位置するものには、その各端に分けて凹レンズと凸レンズからなる一対の撮像系変倍レンズ１６ａ，１６ｂが配設されている。このレンズ系をＴＶカメラ撮像光路９上に配置することにより、その観察系の倍率を変えるようになっている。また、水平に貫通する３つの孔１３のうち左右に位置するものは空のままである。
【００１５】
このような回転ドラム１１は、鏡体５に設けた図示しない回転つまみを回すことにより、図２における通常位置と、これより１８０度回転した位置と９０度回転した位置とを選択することができる。そして、選択した位置に応じて観察光学系と補助観察光学系との倍率を変える変倍光学系を構成している。
【００１６】
前記回転ドラム１１において、左右の、観察系変倍レンズ１４ａ，１５ａの組と観察系変倍レンズ１４ｂ，１５ｂの組は、この回転中心たる軸０ｅに直交する面を対称面として対称的に配置されており、一対の撮像系変倍レンズ１６ａ，１６ｂを通る光軸は、その対称面を通り、観察系変倍レンズ１４ａ，１５ａを通る光軸と観察系変倍レンズ１４ｂ，１５ｂの光軸と交わることなく、それに直角に交差している。
【００１７】
ＴＶカメラ撮像光路９上において、対物レンズ１０と回転ドラム１１の間の位置には、光路を変向するための手段としての変向プリズム１７が設けられている。この第１の変向プリズム１７の出射端の上方で、回転ドラム１１に対向する側方位置には、その変向プリズム１７から送られてきた光を回転ドラム１１に向けて反射して光路を変向する手段としてのミラー１８が設けられている。ＴＶカメラ撮像光路９上において、ミラー１８とは反対側には撮像系結像レンズ１９が配置されており、回転ドラム１１は、ミラー１８と撮像系結像レンズ１９との間に位置している。そして、観察光路８ａ，８ｂとＴＶカメラ撮像光路９との交差部分に回転ドラム１１を設置している。撮像系結像レンズ１９の後方にはミラー２０が設置され、ＴＶカメラ撮像光路９をＴＶカメラ２１に向けて屈曲させ、そのＴＶカメラ２１に向けたＴＶカメラ撮像光路９の部分を、前記観察光路８ａ，８ｂと平行な向きにする。
【００１８】
ＴＶカメラ２１は、鏡体５の主軸方向手前側上部に取り付けられている。また、ＴＶカメラ２１および変向プリズム１７の各反対側に位置して鏡体５の内部には、前述した光源から、例えばライトガイドケーブル２２を通じて導かれた光を、前記対物レンズ１０を通じて術部に導く照明光学系２３が配設されている。つまり、鏡体５を術部に向ければ、その照明光学系２３により術部を照明することができる。
【００１９】
次に、鏡体俯仰用アーム４について、図４を参照して説明する。すなわち、第２のアーム３の先端には、前記軸０ｃと同軸的な第１の軸体２５が固定されており、この軸体２５の他端部には、テーパ外周面部２６が形成されている。鏡体俯仰用アーム４には、軸０ｆを中心として回動自在に支持された第１のリンク２７が取り付けられている。第１のリンク２７の一端部は屈曲しており、この屈曲した一端部には、前記第１の軸体２５のテーパ外周面部２６に適合するテーパ内周面２８を有した孔部２９が設けられている。第１のリンク２７は、第１のばね３１によって、そのテーパ内周面２８を軸体２５のテーパ外周面部２６に押圧する向きに付勢されている。
【００２０】
第１のリンク２７の他端には、鏡体俯仰用アーム４においての軸０ｇを中心として回動自在に支持された第２のリンク３２の一端部が接して係合している。第２のリンク３２の他端部には、テーパ内周面３３を備えた孔３４が形成され、その孔３４のテーパ内周面３３は、鏡体５に固定された軸体３５の一端部に形成されたテーパ外周部３６と当接している。また、この第２のリンク３２は、第２のばね３７によって、孔３４のテーパ内周面３３がテーパ外周部３６に押圧する向きに付勢されている。
【００２１】
鏡体５の内部には、軸０ｈを中心に回動自在に支持されたＬ字状の第３のリンク３８が配置されている。この第３のリンク３８の一端部は、第２のリンク３２の、孔３４を設けた端部と当接している。第３のリンク３８の他端は前述したグリップ６内に図中矢印方向に移動可能に支持されている解除ロッド３９に当接している。
【００２２】
次に、この実施例の構成における作用を説明する。鏡体５を術部に向けると、その術部における視野像は、左右の観察光路８ａ，８ｂを通じて左右の接眼部鏡筒７ａ，７ｂに導かれる。つまり、術部における視野像は共通の対物レンズ１０から右の観察系変倍レンズ１４ａ，１５ａと左の観察系変倍レンズ１４ｂ，１５ｂ、右の観察系結像レンズ１２ａと左の観察系結像レンズ１２ｂを経て、術者の左右の目にそれぞれ結像される。
【００２３】
一方、対物レンズ１０を通った後、その一部の光は、光路変向手段により、光路を変向させられたＴＶカメラ撮像光路９に導かれる。ＴＶカメラ撮像光路９は前記観察光路８ａ，８ｂとは独立しており、対物レンズ１０の直後で反射部材としての変向プリズム１７の入射端で、その対物レンズ１０の光軸に直角に反射され、その変向プリズム１７の他端の出射端で、対物レンズ１０の光軸に平行な向きに反射させられる。さらに、他の反射部材としてのミラー１８により、対物レンズ１０の光軸に直角な向きに反射され、観察光路８ａ，８ｂの方向に直交するように屈折せしめられ、回転ドラム１１に設けられた撮像系変倍レンズ１６ａ，１６ｂと撮像系結像レンズ１９の直線的な光軸上を通過し、ミラー２０により，再び観察光路８ａ，８ｂに略平行な光路になり、ＴＶカメラ２１に結像される。
【００２４】
変倍調節を行う際は、図示しない回転つまみを回すことにより、図２で示す通常の待機位置の状態から例えば回転ドラム１１を１８０度の回転操作を行う。この時、観察系変倍レンズ１４ａ，１５ａと観察系変倍レンズ１４ｂ，１５ｂの向きが入れ替わり、同時に撮像系変倍レンズ１６ａ，１６ｂの向きも入れ替わる。このため、観察光学系と補助観察光学系の倍率が同時に切り替わる。
【００２５】
また、回転ドラム１１を９０度の回転操作を行うと、観察光路８ａ，８ｂとＴＶカメラ撮像光路９はいずれも回転ドラム１１の空の孔１３に一致し、素通しの状態になり、他の倍率になる。つまり、三段階の倍率変換を行うことができる。
【００２６】
一方、鏡体５を保持する鏡体俯仰用アーム４においては、通常、第１のばね３１により軸体２５のテーパ外周面部２６と孔部２９のテーパ内周面２８とが押し付けられ、また、第２のばね３７により、第２のリンク３２の孔３４のテーパ内周面３３が軸体３５のテーパ外周部３６に押し当てられているため、それらのテーパ面同士の摩擦により、ロック状態にあり、軸０ｃ，０ｄを中心とした回転が固定されている。鏡体５は定置状態にある。
【００２７】
ここで、術者が観察方向を変える場合には、グリップ６より突出した解除ロッド３９を押すことにより、その解除ロッド３９が第３のリンク３８を押し、第３のリンク３８が軸０ｈを中心に回転を行う。第３のリンク３８の他端は第２のリンク３２に当接しているため、その第２のリンク３２は軸０ｇを中心に回転し、第２のリンク３２は第１のリンク２７に当接しているため、第１のリンク２７は軸０ｆを中心に回転する。したがって、テーパ外周面部２６とテーパ内周面２８、テーパ内周面３３とテーパ外周部３６の接合が離れ、各テーパ面同士の摩擦係合が解除される。
【００２８】
したがって、術者が、術野および手技等の状況に応じて、鏡体５を移動しようとすれば、軸０ｃを中心とした左右向きの回転と、軸０ｄを中心とした上下方向の俯仰が可能となる。もちろん、位置決めがなされた状態で、解除ロッド３９を解放すれば、再び、自動的にロックされ、その位置に鏡体５を固定することができる。
【００２９】
この実施例の構成によれば、共通の回転ドラム１１に観察系変倍レンズ１４ａ，１４ｂ，１５ａ，１５ｂと撮像系変倍レンズ１６ａ，１６ｂを直交して配置したために、アイポイントの低い鏡体５を提供することができる。観察光路８ａ，８ｂとＴＶカメラ撮像光路９を独立させて設けたから、それらの観察系の明るさを損なわず、観察を中断されることなく、顕微鏡観察下の手術を円滑に進めることができる。また、グリップ６における解除ロッド３９を押すことにより、上下左右の俯仰の固定・解除が行えるため、その鏡体部の向きの変向操作が簡単で、その操作性を向上することができる。
（第２の実施例）
図５ないし図７を参照して、本発明の第２の実施例を説明する。この実施例は、前述した第１の実施例の鏡体５の部分の変形例を示す。手術用顕微鏡装置の他の部分については前述した第１の実施例と同様である。
【００３０】
図５で示すように、鏡体５の内部には、左右の接眼部鏡筒７ａ，７ｂに対応した実体観察光学系の左右の観察光路８ａ，８ｂと、ＴＶカメラ２１に対応した補助観察光学系としてのＴＶカメラ撮像光路９とがそれぞれ独立して設けられている。これらの観察光路８ａ，８ｂとＴＶカメラ撮像光路９に対しては、共通な対物レンズ１０が接眼部鏡筒７ａ，７ｂとは反対側に位置して鏡体５の前面に設けられている。
【００３１】
接眼部鏡筒７ａ，７ｂと対物レンズ１０を結ぶ、鏡体５の主軸方向において、その間の位置には、光路を主軸の側方へ変向するための手段として、対物レンズ１０の内側表面に対向する一対の第１の変向プリズム４１ａ，４１ｂと、接眼部鏡筒７ａ，７ｂにそれぞれ対応する一対の第３の変向プリズム４２ａ，４２ｂが前後に並べて設けられている。第１の変向プリズム４１ａ，４１ｂは、前述した前後方向に沿う主軸に対して直交する側方へ向けて、その主軸の側方に設置した変倍光学系４３に向けて観察光学系の一対の観察光路８ａ，８ｂをそれぞれ直角に屈曲する。また、第３の変向プリズム４２ａ，４２ｂは、前述した変倍光学系４３からの観察光路８ａ，８ｂをそれぞれ対応する接眼部鏡筒７ａ，７ｂに向けて主軸に平行な向きに屈曲する。
【００３２】
前記一対の第１の変向プリズム４１ａ，４１ｂの間の位置には、同じく対物レンズ１０の内側表面に対向する同様な光路変向手段としてのＴＶカメラ撮像光路用の変向プリズム４１ｃが設置されており、この変向プリズム４１ｃによってその側方に設置した変倍光学系４３に向けてＴＶカメラ撮像光路４４を屈曲するようになっている。
【００３３】
つまり、対物レンズ１０、第１の変向プリズム４１ａ，４１ｂ，４１ｃ、第３の変向プリズム４２ａ，４２ｂおよび接眼部鏡筒７ａ，７ｂがそれぞれ対応する状態で鏡体５の主軸方向の前後に並んで配置されている。そして、これらを配列した領域の範囲を避ける主軸の側方の位置に後述する変倍光学系４３が設置されているのである。
【００３４】
次に、変倍光学系４３の構成について説明する。前記第１の変向プリズム４１ａ，４１ｂによって側方へ直角に向けた左右の観察光路８ａ，８ｂには、それぞれに対応した第１の観察系変倍レンズ４５ａ，４５ｂが設けられており、また、前記ＴＶカメラ撮像光路用変向プリズム４１ｃによって側方へ直角に向けたＴＶカメラ撮像光路９には第１の撮像系変倍レンズ４６が設けられている。
【００３５】
図６で示すように、第１の観察系変倍レンズ４５ａ，４５ｂと第１の撮像系変倍レンズ４６は、共通の第１のレンズ枠（切換え操作用部材）４７に対して一列に並べて取り付けられている。第１の撮像系変倍レンズ４６は、一対の第１の観察系変倍レンズ４５ａ，４５ｂの間の中間位置に設置されている。
【００３６】
第１のレンズ枠４７より側方の位置には、それらの光路を変向するための手段として第２の変向プリズム４８が設けられている。この第２の変向プリズム４８はその入射端において、対物レンズ１０側から直角に屈曲して導かれる左右の観察光路８ａ，８ｂと、ＴＶカメラ撮像光路９の向きを平行な状態のままでさらに直角に屈曲して接眼部鏡筒７ａ，７ｂと対物レンズ１０を結ぶ主軸の前後方向に沿って略平行になるようにする。さらに、第２の変向プリズム４８はその出射端において、その観察光路８ａ，８ｂとＴＶカメラ撮像光路９の向きを直角に屈曲して接眼部鏡筒７ａ，７ｂと対物レンズ１０を結ぶ軸線方向に直角に交差する向きに戻す。
【００３７】
この戻り光路の途中には、第２の観察系変倍レンズ５１ａ，５１ｂと第２の撮像系変倍レンズ５２がそれぞれの光路に対応して設置されている。第２の観察系変倍レンズ５１ａ，５１ｂと第２の撮像系変倍レンズ５２は、同じ第２のレンズ枠（切換え操作用部材）４９に並べて取り付けられている。第２の撮像系変倍レンズ５２は第２の観察系変倍レンズ５１ａ，５１ｂの間の中間位置に配置されている。
【００３８】
そして、対物レンズ１０、第１の変向手段たるプリズム４１ａ，４１ｂ，４１ｃ、観察系変倍レンズ４５ａ，４５ｂと撮像系変倍レンズ４６を保持した第１のレンズ枠４７、第２の変向手段４８、第２の観察系変倍レンズ５１ａ，５１ｂと撮像系変倍レンズ５２を保持した第２のレンズ枠４９、第３の変向手段たるプリズム４２ａ，４２ｂの順で複数に屈曲した光路が配置されている。さらに、第２のレンズ枠４９のある位置から第３の変向手段としての変向プリズム４２ａ，４２ｂに向かって、その変向プリズム４２ａ，４２ｂの後方、つまり、第２の撮像系変倍レンズ５２の後方には、第３の撮像系結像レンズ５３が設置されている。そして、この第２の撮像系変倍レンズ５２から撮像系結像レンズ５３に沿う部分でのＴＶカメラ撮像光路９は一直線的であり、この最後端の位置に、ＴＶカメラ２１が設置されている。
【００３９】
図６で示すように、変倍光学系４３における第１のレンズ枠４７と、第２のレンズ枠４９はそれぞれ前記光路に直交して互いに平行な向きに移動自在で、入射側の光路と、出射側の光路とに入れ替わり、その両光路の間の位置に退避することができるように設置されている。すなわち、３つのポジションを選択自在に設けられている。
【００４０】
このための操作手段は次のように構成されている。つまり、第１のレンズ枠４７には第１のラック５６が結合され、第２のレンズ枠４９には第２のラック５７が結合されている。第１のラック５６と第２のラック５７はその間に介在したピニオン５８に噛合している。図７で示すように、ピニオン５８の同軸上には、カサ歯車５９が配置され、このカサ歯車５９には他のカサ歯車６０が噛合している。カサ歯車６０の同軸上には平歯車６１が配置され、この平歯車６１には他の平歯車６２が噛合している。さらに、平歯車６２の同軸上には、操作レバー６３が取り付けられている。この操作レバー６３は、図５で示すように、鏡体５の前面に取り付けられたグリップ６４に設けられた切欠き部６５より外に露出して設けられている。術者がグリップ６４を握る手で簡単に回動操作することができるようになっている。
【００４１】
なお、鏡体５において第１の変向プリズム４１ａ，４１ｂ，４１ｃの反対側の位置には、図示しない光源から、例えばライトガイドケーブル６６を通じて導かれた光を、前記対物レンズ１０を通じて術部に導く照明用変向プリズム６７が配設されている。
【００４２】
次に、この第２の実施例の構成における作用を説明する。鏡体５を術部に向けると、その術部における視野像は、第１の観察系変倍レンズ４５ａ，４５ｂと、ＴＶカメラ撮像光路用変向プリズム４１ｃによって、その観察光路８ａ，８ｂとＴＶカメラ撮像光路９は、対物レンズ１０の光軸に対して、９０°折り曲げられ、変倍光学系４３に入射する。そして、変倍光学系４３の変倍レンズ４５ａ，４５ｂ，４６を通過し、第２の変向プリズム４８により、９０°ずつ２度折り曲げられ、逆向きに屈折せしめられ、変倍レンズ５１ａ，５１ｂ，５２を通過する。そして、観察系変倍レンズ５１ａ，５１ｂを通過した視野像は、第３の変向プリズム４２ａ，４２ｂにより、再び対物レンズ１０の入射光と同軸上に戻され、接眼部鏡筒７ａ，７ｂにより術者の目に結像される。
【００４３】
一方、撮像系変倍レンズ５２を通過した像は、途中で屈曲されることなく、直線的に進み、撮像系結像レンズ５３によりＴＶカメラ２１に結像される。
ここで、術者が倍率を変えるには、グリップ６より突出した操作レバー６３を回転させることにより行う。この回転が、平歯車６２、平歯車６１、カサ歯車６０、カサ歯車５９、ピニオン５８を介して、ラック５６，５７へ伝送される。このため、ラック５６に噛合された第１のレンズ枠４７とラック５７に噛合された第２のレンズ枠４９とは、逆向きに移動し、各光路に位置する第１のレンズ枠４７と第２のレンズ枠４９が入れ替わる。つまり、第１のレンズ枠４７に取り付けられた前段の変倍レンズ４５ａ，４５ｂ，４６が、第２のレンズ枠４９に取り付けられた後段の変倍レンズ５１ａ，５１ｂ，５２の位置が入れ替わってそれぞれの光路中に位置する。これにより、変倍操作が完了する。また、各レンズ枠４７，４９を光路間に退避する位置におけば、素通りとなりその倍率を示させることができる。
【００４４】
この実施例の構成によれば、変倍光学系４３の各変倍レンズ４５ａ，４５ｂ，４６，５１ａ，５１ｂ，５２を、接眼部鏡筒７ａ，７ｂと対物レンズ１０を結ぶ主軸の領域から退避させ、図５では下側に退避させた配置としたので、前述した第１の実施例のものよりも、そのアイポイントの位置を下げることができる。また、変倍操作をグリップ６４から手を離さずに行えるため、操作性が向上でき、手術の効率を上げることができる。
【００４５】
なお、本発明は前述した実施例のものに限定されるものではない。例えば、前述した実施例では１つの対物レンズを各光学系に共用したが、各光学系または光路に応じて別々の対物レンズを設けるものであってもよい。また、第１の実施例において、観察光路と補助光路とが交わることなく直交するようにしたが、交わって直交する交差状態にしてもよいものである。また、交差状態は必ずしも直角ではなく交差すればよいものである。
（付記）
前述した構成によれば、以下のような内容のものが得られる。
【００４６】
１．術野に対面する対物レンズと、術野を観察する接眼部と、前記対物レンズから前記接眼部に通じる観察光路を有した観察光学系と、前記対物レンズあるいは他の対物レンズを通じて前記術野の補助観察を行うとともに前記観察光路とは独立した補助光路を有した補助観察光学系と、前記観察光路および前記補助光路の少なくとも補助光路を前記対物レンズと接眼部を結ぶ鏡体の主軸方向に対して交差する向きに変える光路変向手段と、前記観察光路と前記補助光路との部分に対して選択的に配置される変倍レンズを有する変倍光学系とを具備したことを特徴とする手術用顕微鏡。
【００４７】
２．術野に対面する対物レンズを通じての術野の観察を行う観察光路を有した観察光学系と、前記観察光路とは独立し前記対物レンズあるいは他の対物レンズを通じて前記術野の補助観察を行うとともに前記観察光路の一部において交差する補助光路を有した補助光学系と、前記観察光路と補助光路とが交差、例えば交わることなく直交する位置に配置されその観察光路と補助光路に対して選択的に設置する変倍レンズを備えた回転ドラムを有してなるドラム式変倍光学系とを具備したことを特徴とする手術用顕微鏡（第１の実施例）。
【００４８】
３．前記回転ドラム内で前記観察光路と前記補助光路が交差するようにそれらを配置したことを特徴とする付記２項に記載の手術用顕微鏡。
４．術野に対面する対物レンズと、術野を観察する接眼部と、前記対物レンズを通じて前記術野の観察を行う観察光路を有した観察光学系と、前記対物レンズあるいは他の対物レンズを通じて前記術野の補助観察を行うとともに前記観察光路とは独立した補助光路を有した補助観察光学系と、前記対物レンズと接眼部を結ぶ鏡体の主軸方向の側方へ観察光路と補助光路を変向するとともに少なくとも観察光路を主軸側に戻す光路変更手段と、この光路変更手段によって主軸の側方へ変更された観察光路と前記補助光路に対して選択的に配置される変倍レンズを有した変倍光学系とを具備したことを特徴とする手術用顕微鏡（第２の実施例）。
【００４９】
５．観察光学系は左右一対の観察光路を有し、この一対の観察光路の間に、前記補助観察光学系の補助光路を配置したことを特徴とする付記１、２、３項に記載の手術用顕微鏡。
【００５０】
６．前記変倍光学系において、前記観察光路と補助光路に対して選択的に配置される変倍レンズを共通の切換え操作用部材に設けたことを特徴とする付記１、２、３、４、５項に記載の手術用顕微鏡。
【００５１】
７．前記補助光路は、前記補助光路変倍光学系と対物レンズの間に、少なくとも一つの反射部材を備えた変向手段を設けたことを特徴とする付記１、２、３、４、５、６項に記載の手術用顕微鏡。
【００５２】
８．前記補助光路は、前記反射部材により３回以上の奇数回反射して前記補助光路を前記変倍光学系に入射させる光路変向手段を備えることを特徴とする付記１、２、３、４、５、６、７項に記載の手術用顕微鏡。
【００５３】
９．一対の観察光路と該観察光路とは独立した補助光路とを備え、かつ各々変倍光学系を有する手術用顕微鏡において、
対物レンズの後部の光軸を直角方向に反射させる第１の反射部材と、これにより反射された前記光軸を更に前記対物レンズの光軸と平行な方向に反射させる第２の反射部材と、これにより反射された前記光軸を更に前記第１の反射部材により反射された光軸に対し、平行で反対方向に反射させる第３の反射部材と、これにより反射された前記光軸を前記対物レンズの光軸と平行な方向に反射させる第４の反射部材とを有し、前記変倍光学系の部材を前記第１、２、３、４の反射部材のいずれかの間に配置したことを特徴とする手術用顕微鏡。
【００５４】
１０．観察光路と補助光路との前記変倍光学部材とは、各々レンズ枠に配置したことを特徴とする付記９項に記載の手術用顕微鏡。
１１．前記第１の反射部材と前記第２の反射部材との間、および前記第３の反射部材と前記第４の反射部材との間に、変倍光学部材を配置した前記レンズ枠を配置したことを特徴とする付記１０項に記載の手術用顕微鏡。
１２．前記一組のレンズ枠を前記光路の前後部分に対して各々入れ換えることにより変倍を行うことを特徴とする付記１１項に記載の手術用顕微鏡。
【００５５】
【発明の効果】
以上説明したように本発明によれば、補助観察光学系に例えばＴＶカメラや助手用観察装置を取り付けた場合でも、アイポイントの位置が高くならず、明るさも損なわないで観察することができるため、顕微鏡観察下の手術を円滑に進めることができる。
【図面の簡単な説明】
【図１】第１の実施例に係る手術用顕微鏡の全体を概略的に示す説明図。
【図２】同じく、第１の実施例に係る手術用顕微鏡の鏡体部の概略的な構成を示す説明図。
【図３】同じく、第１の実施例に係る手術用顕微鏡の鏡体部における回転ドラムの斜視図。
【図４】同じく、第１の実施例に係る手術用顕微鏡の鏡体俯仰用アームの部分を示す説明図。
【図５】第２の実施例に係る手術用顕微鏡の鏡体部の概略的な構成を示す説明図。
【図６】同じく、第２の実施例に係る手術用顕微鏡の変倍光学機構の概略的な斜視図。
【図７】同じく、第２の実施例に係る手術用顕微鏡の変倍操作部の概略的な構成を示す説明図。
【符号の説明】
５…鏡体、７ａ，７ｂ…接眼部鏡筒、観察光路８ａ，８ｂ…観察光路、９…ＴＶカメラ撮像光路、１０…対物レンズ、１１…変倍用回転ドラム、１３…孔、１４ａ，１５ａ，１４ｂ，１５ｂ…観察系変倍レンズ、１６ａ，１６ｂ…撮像系変倍レンズ、１７…変向プリズム、１８…ミラー。
【図１】
0003966909.tif 000002
【図２】
0003966909.tif 000003
【図３】
0003966909.tif 000004
【図４】
0003966909.tif 000005
【図５】
0003966909.tif 000006
【図６】
0003966909.tif 000007
【図７】
0003966909.tif 000008